(57)【特許請求の範囲】
【請求項１】
緊急警報情報を取得する緊急警報情報取得部と、
コンテンツを取得するコンテンツ取得部と、
P1シグナリングを含む第１のプリアンブル信号と、L1プレシグナリングを含む第２のプリアンブル信号と、前記コンテンツのデータとからなる、DVB-T2（Digital Video Broadcasting - Terrestrial 2）規格に準拠した伝送フレームとして、前記P1シグナリング又は前記L1プレシグナリングに、前記緊急警報情報が伝送されていることを示す緊急警報通知情報を含む前記伝送フレームを生成する伝送フレーム生成部と、
前記伝送フレームを、デジタル放送信号として送信する送信部と
を備える送信装置。
【請求項２】
前記緊急警報通知情報は、前記L1プレシグナリングに含まれている場合、前記L1プレシグナリングのリザーブビットに配置される
請求項１に記載の送信装置。
【請求項３】
前記緊急警報通知情報は、１ビットの緊急警報フラグであって、
前記緊急警報情報は、前記DVB-T2規格で規定されている、SI（Service Information）情報、補助ストリーム（Auxiliary Stream）、又は特定のPLP（Physical Layer Pipe）で伝送される
請求項２に記載の送信装置。
【請求項４】
前記緊急警報通知情報は、前記P1シグナリングに含まれている場合、前記P1シグナリングのリザーブビットに配置される
請求項１に記載の送信装置。
【請求項５】
前記緊急警報通知情報は、特定のビット列であって、
前記緊急警報情報は、前記DVB-T2規格で規定されている、SI情報、補助ストリーム、又は特定のPLPで伝送される
請求項４に記載の送信装置。
【請求項６】
前記P1シグナリング及び前記L1プレシグナリングを生成するシグナリング生成部をさらに備える
請求項１に記載の送信装置。
【請求項７】
送信装置の送信方法において、
前記送信装置が、
緊急警報情報を取得し、
コンテンツを取得し、
P1シグナリングを含む第１のプリアンブル信号と、L1プレシグナリングを含む第２のプリアンブル信号と、前記コンテンツのデータとからなる、DVB-T2規格に準拠した伝送フレームとして、前記P1シグナリング又は前記L1プレシグナリングに、前記緊急警報情報が伝送されていることを示す緊急警報通知情報を含む前記伝送フレームを生成し、
前記伝送フレームを、デジタル放送信号として送信する
ステップを含む送信方法。
【請求項８】
デジタル放送信号として、P1シグナリングを含む第１のプリアンブル信号と、L1プレシグナリングを含む第２のプリアンブル信号と、コンテンツのデータとからなる、DVB-T2規格に準拠した伝送フレームを受信する受信部と、
前記第１のプリアンブル信号、又は前記第１のプリアンブル信号及び前記第２のプリアンブル信号を復調して、前記第１のプリアンブル信号に含まれるP1シグナリング、又は前記第２のプリアンブル信号に含まれるL1プレシグナリングにおいて、緊急警報情報が伝送されていることを示す緊急警報通知情報を監視する復調部と
を備える受信装置。
【請求項９】
前記緊急警報通知情報は、前記L1プレシグナリングに含まれている場合、前記L1プレシグナリングのリザーブビットに配置される
請求項８に記載の受信装置。
【請求項１０】
前記緊急警報通知情報は、１ビットの緊急警報フラグであって、
前記緊急警報情報は、前記DVB-T2規格で規定されている、SI情報、補助ストリーム、又は特定のPLPで伝送されており、
前記緊急警報通知情報が、前記緊急警報情報が伝送されていることを示している場合に起動して、前記SI情報、前記補助ストリーム、又は前記特定のPLPで伝送されている前記緊急警報情報を取得する制御部をさらに備える
請求項９に記載の受信装置。
【請求項１１】
前記緊急警報通知情報は、前記P1シグナリングに含まれている場合、前記P1シグナリングのリザーブビットに配置される
請求項８に記載の受信装置。
【請求項１２】
前記緊急警報通知情報は、特定のビット列であって、
前記緊急警報情報は、前記DVB-T2規格で規定されている、SI情報、補助ストリーム、又は特定のPLPで伝送されており、
前記緊急警報通知情報が、前記緊急警報情報が伝送されていることを示している場合に起動して、前記SI情報、前記補助ストリーム、又は前記特定のPLPで伝送されている前記緊急警報情報を取得する制御部をさらに備える
請求項１１に記載の受信装置。
【請求項１３】
受信装置の受信方法において、
前記受信装置が、
デジタル放送信号として、P1シグナリングを含む第１のプリアンブル信号と、L1プレシグナリングを含む第２のプリアンブル信号と、コンテンツのデータとからなる、DVB-T2規格に準拠した伝送フレームを受信し、
前記第１のプリアンブル信号、又は前記第１のプリアンブル信号及び前記第２のプリアンブル信号を復調して、前記第１のプリアンブル信号に含まれるP1シグナリング、又は前記第２のプリアンブル信号に含まれるL1プレシグナリングにおいて、緊急警報情報が伝送されていることを示す緊急警報通知情報を監視する
ステップを含む受信方法。
【発明の詳細な説明】
【技術分野】
【０００１】
本技術は、送信装置、送信方法、受信装置、及び、受信方法に関し、特に、DVB-T2規格において、より高速に、かつ、低消費電力で緊急警報情報に関する処理を行うことができるようにした送信装置、送信方法、受信装置、及び、受信方法に関する。
【背景技術】
【０００２】
地上デジタル放送規格として、DVB-T（Digital Video Broadcasting - Terrestrial）規格が、欧州をはじめ世界各国で採用されている。さらに、現在では、このDVB-T規格を改良したDVB-T2規格が実用化されている（例えば、非特許文献１参照）。【０００３】
また、地震や津波に代表される自然災害等の緊急時に警報を伝達する手段として、緊急警報放送（EWS：Emergency Warning System）が規定されている（例えば、特許文献１参照）。
【先行技術文献】
【特許文献】
【０００４】
【特許文献１】特開２００８−１４８２３０号公報
【非特許文献】
【０００５】
【非特許文献１】Digital Video Broadcasting (DVB); Frame structure channel coding and modulation for a second generation digital terrestrial television broadcasting system (DVB-T2)
【発明の概要】
【発明が解決しようとする課題】
【０００６】
ところで、DVB規格においても、緊急警報放送が導入されているが、より高速に、かつ、低消費電力で緊急警告情報に関する処理を行いたいという要求がある。【０００７】
本技術はこのような状況に鑑みてなされたものであり、DVB-T2規格において、より高速に、かつ、低消費電力で緊急警報情報に関する処理を行うことができるようにするものである。
【課題を解決するための手段】
【０００８】
本技術の第１の側面の送信装置は、緊急警報情報を取得する緊急警報情報取得部と、コンテンツを取得するコンテンツ取得部と、P1シグナリングを含む第１のプリアンブル信号と、L1プレシグナリングを含む第２のプリアンブル信号と、前記コンテンツのデータとからなる、DVB-T2（Digital Video Broadcasting - Terrestrial 2）規格に準拠した伝送フレームとして、前記P1シグナリング又は前記L1プレシグナリングに、前記緊急警報情報が伝送されていることを示す緊急警報通知情報を含む前記伝送フレームを生成する伝送フレーム生成部と、前記伝送フレームを、デジタル放送信号として送信する送信部とを備える送信装置である。【０００９】
前記緊急警報通知情報は、前記L1プレシグナリングに含まれている場合、前記L1プレシグナリングのリザーブビットに配置されるようにすることができる。【００１０】
前記緊急警報通知情報は、１ビットの緊急警報フラグであって、前記緊急警報情報は、前記DVB-T2規格で規定されている、SI（Service Information）情報、補助ストリーム（Auxiliary Stream）、又は特定のPLP（Physical Layer Pipe）で伝送されるようにすることができる。【００１１】
前記緊急警報通知情報は、前記P1シグナリングに含まれている場合、前記P1シグナリングのリザーブビットに配置されるようにすることができる。【００１２】
前記緊急警報通知情報は、特定のビット列であって、前記緊急警報情報は、前記DVB-T2規格で規定されている、SI情報、補助ストリーム、又は特定のPLPで伝送されるようにすることができる。【００１３】
前記P1シグナリング及び前記L1プレシグナリングを生成するシグナリング生成部をさらに備えるようにすることができる。【００１４】
送信装置は、独立した装置であってもよいし、１つの装置を構成している内部ブロックであってもよい。【００１５】
本技術の第１の側面の送信方法は、上述した本技術の第１の側面の送信装置に対応する送信方法である。【００１６】
本技術の第１の側面の送信装置、及び、送信方法においては、緊急警報情報が取得され、コンテンツが取得され、P1シグナリングを含む第１のプリアンブル信号と、L1プレシグナリングを含む第２のプリアンブル信号と、前記コンテンツのデータとからなる、DVB-T2規格に準拠した伝送フレームとして、前記P1シグナリング又は前記L1プレシグナリングに、前記緊急警報情報が伝送されていることを示す緊急警報通知情報を含む前記伝送フレームが生成され、前記伝送フレームが、デジタル放送信号として送信される。【００１７】
本技術の第２の側面の受信装置は、デジタル放送信号として、P1シグナリングを含む第１のプリアンブル信号と、L1プレシグナリングを含む第２のプリアンブル信号と、コンテンツのデータとからなる、DVB-T2規格に準拠した伝送フレームを受信する受信部と、前記第１のプリアンブル信号、又は前記第１のプリアンブル信号及び前記第２のプリアンブル信号を復調して、前記第１のプリアンブル信号に含まれるP1シグナリング、又は前記第２のプリアンブル信号に含まれるL1プレシグナリングにおいて、緊急警報情報が伝送されていることを示す緊急警報通知情報を監視する復調部とを備える受信装置である。【００１８】
前記緊急警報通知情報は、前記L1プレシグナリングに含まれている場合、前記L1プレシグナリングのリザーブビットに配置されるようにすることができる。【００１９】
前記緊急警報通知情報は、１ビットの緊急警報フラグであって、前記緊急警報情報は、前記DVB-T2規格で規定されている、SI情報、補助ストリーム、又は特定のPLPで伝送されており、前記緊急警報通知情報が、前記緊急警報情報が伝送されていることを示している場合に起動して、前記SI情報、前記補助ストリーム、又は前記特定のPLPで伝送されている前記緊急警報情報を取得する制御部をさらに備えるようにすることができる。【００２０】
前記緊急警報通知情報は、前記P1シグナリングに含まれている場合、前記P1シグナリングのリザーブビットに配置されるようにすることができる。【００２１】
前記緊急警報通知情報は、特定のビット列であって、前記緊急警報情報は、前記DVB-T2規格で規定されている、SI情報、補助ストリーム、又は特定のPLPで伝送されており、前記緊急警報通知情報が、前記緊急警報情報が伝送されていることを示している場合に起動して、前記SI情報、前記補助ストリーム、又は前記特定のPLPで伝送されている前記緊急警報情報を取得する制御部をさらに備えるようにすることができる。【００２２】
受信装置は、独立した装置であってもよいし、１つの装置を構成している内部ブロックであってもよい。【００２３】
本技術の第２の側面の受信方法は、上述した本技術の第２の側面の受信装置に対応する受信方法である。【００２４】
本技術の第２の側面の受信装置、及び、受信方法においては、デジタル放送信号として、P1シグナリングを含む第１のプリアンブル信号と、L1プレシグナリングを含む第２のプリアンブル信号と、コンテンツのデータとからなる、DVB-T2規格に準拠した伝送フレームが受信され、前記第１のプリアンブル信号、又は前記第１のプリアンブル信号及び前記第２のプリアンブル信号を復調して、前記第１のプリアンブル信号に含まれるP1シグナリング、又は前記第２のプリアンブル信号に含まれるL1プレシグナリングにおいて、緊急警報情報が伝送されていることを示す緊急警報通知情報が監視される。
【発明の効果】
【００２５】
本技術の第１の側面、及び、第２の側面によれば、DVB-T2規格において、より高速に、かつ、低消費電力で緊急警報情報に関する処理を行うことができる。【００２６】
なお、ここに記載された効果は必ずしも限定されるものではなく、本開示中に記載されたいずれかの効果であってもよい。
【図面の簡単な説明】
【００２７】
【図１】DVB規格における緊急警報放送の概要を説明する図である。
【図２】T2フレームのフォーマットを示す図である。
【図３】L1プレシグナリングの詳細な構成を示す図である。
【図４】L1プレシグナリング伝送方式を採用した場合の消費電力を説明する図である。
【図５】L1プレシグナリング伝送方式を採用した場合の処理速度を説明する図である。
【図６】補助ストリームの伝送方式を示す図である。
【図７】L1ポストシグナリングに含まれる補助ストリームのループを示す図である。
【図８】AUX_STREAM_TYPEの構成例を示す図である。
【図９】T2フレームのフォーマットを示す図である。
【図１０】S1フィールドの詳細な構成を示す図である。
【図１１】S2フィールドの詳細な構成を示す図である。
【図１２】S1フィールドの詳細な構成を示す図である。
【図１３】S2フィールドの詳細な構成を示す図である。
【図１４】S1フィールドの詳細な構成を示す図である。
【図１５】P1シグナリング伝送方式を採用した場合の消費電力を説明する図である。
【図１６】特定のPLPでの伝送を説明する図である。
【図１７】本技術を適用した緊急警報情報伝送システムの構成例を示す図である。
【図１８】送信装置の構成例を示す図である。
【図１９】受信装置の構成例を示す図である。
【図２０】緊急警報情報送信処理の流れを説明するフローチャートである。
【図２１】緊急警報情報受信処理の流れを説明するフローチャートである。
【図２２】コンピュータの構成例を示す図である。
【発明を実施するための形態】
【００２８】
以下、図面を参照しながら本技術の実施の形態について説明する。なお、説明は以下の順序で行うものとする。
【００２９】
１．緊急警報放送の概要
２．第１の実施の形態（L1プレシグナリング伝送方式）
３．第２の実施の形態（P1シグナリング伝送方式）
４．システムの構成
５．各装置の処理の流れ
６．コンピュータの構成
【００３０】
＜１．緊急警報放送の概要＞
【００３１】
人々の生活は、地震や地震に伴う津波、台風や豪雨、暴風、竜巻、洪水、山火事といった自然災害など、さまざまな危険な事象に晒されている。このような事象が発生した場合には、緊急警報情報を、人々に一刻もはやく知らせることで、避難を促す必要がある。災害時の緊急警報情報は、例えば政府機関等により提供される。また、緊急警報情報の通知には、放送サービスを利用することができる。
【００３２】
図１は、DVB規格における緊急警報放送（DVB-EWS）の概要を示す図である。図１においては、DVB規格に準拠したデジタル放送で提供される、カレントサービス（Current Service）と、アナウスメントサービス（Announcement Service）が模式的に示されている。
【００３３】
カレントサービスとしては、送信機によって、番組等のコンテンツを構成する映像と音声のストリームが伝送される。これにより、受信機は、番組の映像と音声を出力することができる。アナウスメントサービスでは、送信機は、SI（Service Information）情報を利用して、例えば、緊急警報情報としての音声データを伝送することが可能である。
【００３４】
ここで、受信機においては、カレントサービスとしての通常の番組の映像と音声のストリームの受信時に、アナウスメントサービスにおけるTSヘッダ（TS Header（HDR））に配置されるアナウスメントフラグ（AF：announcement flag）が監視される。そして、アナウスメントフラグが、"0"から"1"に変化したとき、アナウスメントサービスがアクティブとなって、受信機において受信される通常の番組の音声ストリームが、緊急警報情報の音声データに切り替えられる。
【００３５】
これにより、受信機の近くにいるユーザに対して、例えば地震や津波等の自然災害の緊急時の警報を行うことができる。なお、この緊急警報情報の音声データは、アナウスメントフラグが"1"である間は継続して受信されるが、アナウスメントフラグが"0"に戻ったときに終了され、通常の番組の音声ストリームに切り替えられる。
【００３６】
以上のようにして、DVB規格における緊急警報放送（DVB-EWS）が行われていたが、SI情報は物理層（Physical Layer）よりも上位の階層で伝送されるので、受信機では、チューナと復調器（復調部）の後段に設けられるシステムオンチップ（SoC：System on a chip）にまで信号が通らないと、緊急警報情報を取得することができない。そのため、緊急警報情報の解析を完了するまでにある程度の時間を要していた。また、システムオンチップを動作させないと、緊急警報情報の解析が行えないため、その分だけ消費電力が高くなっていた。特に、システムオンチップは、消費電力が大きいため、できるだけ消費電力を抑えることが望ましい。
【００３７】
このように、DVB規格における緊急警報放送では、より高速に、かつ、低消費電力で緊急警告情報に関する処理を行いたいという要求がある。そこで、本技術では、DVB-T2規格において、より高速に、かつ、低消費電力で緊急警報情報に関する処理を行うことができるようにするために、以下の２方式を提案するものとする。なお、本技術の２方式と区別するために、以下の説明では、図１のDVB規格における緊急警報放送の方式を、「DVB-EWS現行方式」と称するものとする。
【００３８】
＜２．第１の実施の形態＞
【００３９】
第１の実施の形態では、緊急警報情報が伝送されていることを示す緊急警報通知情報を、L1プレシグナリングに配置して伝送する方式（以下、「L1プレシグナリング伝送方式」という。）について説明する。
【００４０】
（T2フレーム）
図２は、T2フレームのフォーマットを示す図である。
【００４１】
DVB-T2規格では、T2フレーム（T2 frame）と呼ばれるフレームが定義され、データは、T2フレーム単位で送信される。T2フレームは、P1及びP2と呼ばれる２種類のプリアンブル（Preamble）信号を含み、そのプリアンブル信号には、OFDM（Orthogonal Frequency Division Multiplexing）信号の復調等の処理に必要な情報が含まれる。
【００４２】
T2フレームには、P1のシンボル、P2のシンボル、及び、データのシンボル（Data symbols）が、その順で含まれる。
【００４３】
P1のシンボルは、P1シグナリング（P1 signalling）を送信するためのシンボルであり、P1シグナリングには、トランスミッションタイプ（transmission type）や、基本的なトランスミッションパラメータ（basic transmission parameters）が含まれる。
【００４４】
P2のシンボルは、L1プレシグナリング（L1-pre signalling）、及び、L1ポストシグナリング（L1-post signalling）を送信するためのシンボルである。L1プレシグナリングは、T2フレームを受信する受信機が、L1ポストシグナリングの受信と復号とを行うための情報を含む。L1ポストシグナリングは、受信機が、物理層（PLP（Physical Layer Pipes））にアクセスするのに必要なパラメータを含む。
【００４５】
L1ポストシグナリングは、設定可能なフィールド（Configurable）と動的なフィールド（Dynamic）の２種類から構成され、さらにオプショナルな拡張フィールド（Extension）が用意されている。また、CRC（Cyclic Redundancy Check）と、L1 paddingがその順で配置される。
【００４６】
なお、DVB-T2規格では、送信されるT2フレームの間に、FEF（Future Extension Frame）と呼ばれる、T2フレームとは異なる構造からなるフレームを時間方向に多重化として送信することが可能となっている。
【００４７】
また、T2フレームには、固定型のテレビ受像機などの受信機を対象としたT2-baseフレームと、モバイル機器などの受信機を対象としたT2-Liteフレームの２種類があり、プロファイルにより分類されるが、T2フレームの構造は、プロファイルの種別によらず、共通の構造とされる。
【００４８】
（L1プレシグナリング）
図３は、図２のL1プレシグナリングの詳細な構成を示す図である。
【００４９】
図３には、L1プレシグナリングに含まれる情報が示されている。TYPEは、伝送されるストリームのタイプを規定する8ビットのフィールドである。BWT_EXTは、拡張キャリアモードが使用されるかどうかを規定する1ビットのフィールドである。S1は、P1シグナリングのS1フィールドと同一の値を規定する3ビットのフィールドである。S2は、P1シグナリングのS2フィールドと同一の値を規定する4ビットのフィールドである。
【００５０】
L1_REPETITION_FLAGは、L1ポストシグナリングの動的なフィールド（Dynamic）の提供を規定する1ビットのフィールドである。GUARD_INTERVALは、ガードインターバルを規定する3ビットのフィールドである。PAPRは、PAPR（Peak to Average Power Ratio）を規定する4ビットのフィールドである。L1_MODは、L1ポストシグナリングのコンスタレーションを規定する4ビットのフィールドである。L1_CODは、L1ポストシグナリングの符号化率を規定する2ビットのフィールドである。
【００５１】
L1_FEC_TYPEは、L1ポストシグナリングのFEC（Forward Error Correction）のタイプを規定する2ビットのフィールドである。L1_POST_SIZEは、符号化及び変調されたL1ポストシグナリングのデータブロックのサイズを規定する18ビットのフィールドである。L1_POST_INFO_SIZEは、L1ポストシグナリングのデータブロックの情報の部分のサイズを規定する18ビットのフィールドである。PILOT_PATTERNは、OFDMシンボルのパイロットパターンのタイプを規定する4ビットのフィールドである。TX_ID_AVAILABILITYは、送信機IDの可用性を規定する8ビットのフィールドである。
【００５２】
CELL_IDは、DVBネットワークにおける地理的なセルを識別するためのセルIDを規定する16ビットのフィールドである。NETWORK_IDは、現在のDVBネットワークを識別するためのネットワークIDを規定する16ビットのフィールドである。T2_SYSTEM_IDは、ネットワークIDにより識別されるDVBネットワーク内のT2システムを識別するためのT2システムIDを規定する16ビットのフィールドである。
【００５３】
NUM_T2_FRAMESは、T2フレームとFEFを含んで構成されるスーパーフレーム（Super Frame）ごとのT2フレームの数を規定する8ビットのフィールドである。NUM_DATA_SYMBOLSは、T2フレームごとのOFDMシンボルの数を規定する12ビットのフィールドである。REGEN_FLAGは、DVB-T2規格に準拠した信号が再生成された回数を規定する3ビットのフィールドである。L1_POST_EXTENSIONは、L1ポストシグナリングの拡張フィールドの存在を規定する1ビットのフィールドである。
【００５４】
NUM_RFは、現在のT2システムの周波数を規定する3ビットのフィールドである。CURRENT_RF_IDXは、TFS（Time Frequency Slicing）がサポートされている場合に、現在のRFチャンネルのインデックスを規定する3ビットのフィールドである。T2_VERSIONは、送信信号に関する最新バージョンを規定する4ビットのフィールドである。L1_POST_SCRAMBLEDは、L1ポストシグナリングがスクランブルされているかを規定する1ビットのフィールドである。T2_BASE_LITEは、現在のT2-baseフレームのプロファイルが、T2-Liteフレームのプロファイルと互換性があるかを規定する1ビットのフィールドである。
【００５５】
RESERVEDは、将来の拡張用の4ビットのフィールドである。L1プレシグナリング伝送方式では、この4ビットのリザーブビット（Reserved bit）のうち、1ビットを、緊急警報情報が伝送されていることを示す緊急警報通知情報（緊急警報フラグ）に割り当てて、残りの3ビットがリザーブビットとなるようにする。この1ビットの緊急警報フラグの名称は、例えば、「EMERGENCY_WARNING」と規定することができるが、他の名称を採用することもできる。CRC-32は、L1プレシグナリングの誤り検出符号を規定する32ビットのフィールドである。
【００５６】
以上のように、L1プレシグナリング伝送方式では、L1プレシグナリングのリザーブビットに、1ビットの緊急警報フラグ（緊急警報通知情報）が配置されるようにすることで、受信機では、この緊急警報フラグを監視して、例えば緊急警報フラグが"0"から"1"に変化したときに、送信機から伝送される緊急警報情報を取得して、出力することができる。
【００５７】
（DVB-EWS現行方式と、L1プレシグナリング伝送方式との比較）
次に、図４及び図５を参照して、DVB-EWS現行方式と、L1プレシグナリング伝送方式における消費電力と、処理速度を比較する。なお、DVB-T2規格に準拠したデジタル放送信号を受信可能な受信機は、通常、チューナ、復調器（復調部）、及び、システムオンチップ（SoC）の３チップ構成となっている。
【００５８】
図４において、DVB-EWS現行方式（図１）を採用した場合、受信機では、チューナと復調部の後段に設けられるシステムオンチップ（SoC）にまで信号が供給されないと、アナウスメントフラグ（AF：announcement flag）を監視（解析）することができない。この場合において、受信機では、チューナと復調部を動作させるために、それぞれ数百mWの電力を消費するとともに、システムオンチップまで動作させるので、さらに、数Wの電力を消費することになる。
【００５９】
一方、L1プレシグナリング伝送方式（図２，３）を採用した場合、復調部において、T2フレームを構成するP1とP2のシンボルが復調され、P2のシンボルに含まれるL1プレシグナリングのリザーブビットに配置された緊急警報フラグ（EMERGENCY_WARNING）が監視（解析）される。この場合、システムオンチップ（SoC）の前段の復調部で、緊急警報フラグが監視（解析）されるので、チューナと復調部を動作させるためにそれぞれ数十mWの電力を消費するだけですみ、消費電力の高いシステムオンチップを動作させなくてもよいことになる。なお、ここでは、時間分割動作を行うことで、チューナと復調部の消費電力も抑えることができる。
【００６０】
このように、アナウスメントフラグ（SI情報）を監視（解析）するために、DVB-EWS現行方式では、消費電力の高いシステムオンチップを動作させる必要があるが、L1プレシグナリング伝送方式では、L1プレシグナリングのリザーブビットに配置された緊急警報フラグを監視するために、システムオンチップを動作させる必要がなく、消費電力を抑えることができる。
【００６１】
これにより、受信機は、基本的にP2のシンボルを復調するには、P1のシンボルを復調する必要があるので、T2フレームを構成するP1とP2のシンボルの受信時のみ、復調部によりP2のシンボルに含まれるL1プレシグナリングのリザーブビットに配置された緊急警報フラグを監視（解析）し、それ以外のデータのシンボルの受信時には、スリープ状態となるモード（低消費電力モード）で動作することが可能となる。そして、受信機は、P2のシンボルに含まれるL1プレシグナリングのリザーブビットに配置された緊急警報フラグが、緊急警報情報が伝送されていることを示している場合（例えば、"0"から"1"に変化した場合）、システムオンチップを動作させて、送信機から伝送される緊急警報情報を取得して、出力されるようにする。
【００６２】
また、図５において、DVB-EWS現行方式（図１）を採用した場合、受信機では、システムオンチップ（SoC）を起動させないと、アナウスメントフラグ（SI情報）を監視（解析）することができないので、その解析を完了するまでの処理速度は、例えば数秒などある程度の時間を要する。
【００６３】
一方、L1プレシグナリング伝送方式（図２，３）を採用した場合、受信機では、システムオンチップを起動せずに、復調部で緊急警報フラグが監視（解析）されるため、システムオンチップでの解析処理が不要となり、システムオンチップの前段で緊急警報フラグの監視結果が得られる。そのため、L1プレシグナリング伝送方式を採用した場合には、DVB-EWS現行方式を採用した場合と比べて、高速に、緊急警報情報に関する処理を行うことができる。
【００６４】
なお、L1プレシグナリング伝送方式において、受信機は、L1プレシグナリングのリザーブビットに配置された緊急警報フラグが、例えば"0"から"1"に変化したときに、緊急警報情報が伝送されていると認識して、システムオンチップを動作させて緊急警報情報を取得することから、この緊急警報フラグ（緊急警報通知情報）は、いわばブートトリガ情報であると言える。
【００６５】
（緊急警報情報の伝送）
ところで、受信機においては、復調部によって、L1プレシグナリングのリザーブビットに配置された緊急警報フラグが監視され、当該緊急警報フラグが、例えば"0"から"1"に変化したときに、システムオンチップが起動されて、送信機から伝送されてくる緊急警報情報が取得され、出力されることになる。この緊急警報情報は、例えば、SI（Service Information）情報を利用する方式、補助ストリーム（Auxiliary Stream）を利用する方式、又は、特定のPLP（Physical Layer Pipe）を利用する方式のいずれかの方式により伝送されるようにすることができる。
【００６６】
（Ａ）SI情報を利用する方式
SI情報を利用する方式では、図１のDVB規格における緊急警報放送（DVB-EWS）と同様に、SI情報を利用して、緊急警報情報が伝送される。
【００６７】
（Ｂ）補助ストリームを利用する方式
補助ストリームを利用する方式では、補助ストリームにより、ビットデータとしての緊急警報情報が伝送される。図６には、T2フレームに含まれる、補助ストリーム（Auxiliary Stream）のデータのシンボルが時系列で表されている。補助ストリームでは、例えば数百ビット程度の固定ビットデータが伝送され、このビットデータを利用して、例えば地震や津波の緊急警報情報の場合に、地域や震源などの情報を通知することができる。例えば、受信機では、補助ストリームとして伝送される地域や震源等の情報を用いたフィルタリング処理を行うことで、受信機が設置されている場所に関係のある情報の場合にのみ起動して、送信機から伝送される緊急警報情報を取得し、出力するといったことが可能となる。
【００６８】
図７には、L1ポストシグナリングに含まれる一部の情報が示されている。図７において、補助ストリーム（Auxiliary Stream）のループに、AUX_STREAM_TYPEと、AUX_PRIVATE_CONFが配置されている。AUX_STREAM_TYPEは、補助ストリームのタイプを規定する4ビットのフィールドである。AUX_PRIVATE_CONFは、補助ストリームの変調方式や符号化率等を規定する28ビットのフィールドである。
【００６９】
図８に示すように、AUX_STREAM_TYPEにおいて、"0000"であるビットが設定された場合、"TX-SIG"、すなわち、TX-SIG（Transmitter Signatures）の補助ストリームであることを表している。また、AUX_STREAM_TYPEにおいて、"0000"であるビット以外の他のビットは、いずれも"Reserved for future use"、すなわち、将来の拡張用のリザーブビット（Reserved bit）であることを表している。ここでは、AUX_STREAM_TYPEにおいて、例えば、"1111"であるビットを、"Emergency Signalling"に割り当てる。これにより、緊急警報情報が、補助ストリームで伝送されていることを表すことができる。
【００７０】
（Ｃ）特定のPLPを利用する方式
特定のPLPを利用する方式では、例えば、番組等のコンテンツを構成する映像と音声のストリームが伝送されるPLPとは、別のPLPを利用して、緊急警報情報が伝送される。この場合、緊急警報情報として、映像や音声を含めることができるので、いわば緊急警報放送サービスが提供されるようにすることができる。
【００７１】
なお、上述した３つの方式は一例であって、他の方式を採用してもよい。例えば、緊急警報通知としての情報緊急警報フラグの代わりに、緊急警報情報としての固定ビットデータが伝送されるようにしてもよい。
【００７２】
＜３．第２の実施の形態＞
【００７３】
第２の実施の形態では、緊急警報情報が伝送されていることを示す緊急警報通知情報を、P1シグナリングに配置して伝送する方式（以下、「P1シグナリング伝送方式」という。）について説明する。
【００７４】
（T2フレーム）
図９は、T2フレームのフォーマットを示す図である。
【００７５】
図９のT2フレームは、図２のT2フレームと同様に構成されるが、P1シグナリング伝送方式では、P1のシンボルに含まれるP1シグナリングのリザーブビットに、緊急警報通知情報が配置される。ここで、P1シグナリングには、トランスミッションタイプ（transmission type）や、基本的なトランスミッションパラメータ（basic transmission parameters）が含まれる。
【００７６】
具体的には、P1シグナリング（P1）には、パラメータとしてのS1及びS2等が含まれる。S1及びS2は、P2が、SISO（Single Input Single Output）、又は、MISO（Multiple Input, Single Output）のいずれの方式で送信されてくるのかや、P2のFFT（Fast Frourier Transform）演算を行うときのFFTサイズ等を表す。
【００７７】
（１）S2フィールドのリザーブビットに特定のビット列を規定
【００７８】
図１０は、S1フィールドの詳細な構成を示す図である。図１０において、S1フィールドは、3ビットからなる。
【００７９】
S1フィールドにおいて、"000"であるビットが設定された場合、"T2_SISO"、すなわち、プリアンブル信号がT2-baseのプリアンブル信号であって、P2の送信方式がSISOとなることを表している。また、"001"であるビットが設定された場合、"T2_MISO"、すなわち、プリアンブル信号がT2-baseのプリアンブル信号であって、P2の送信方式がMISOであることを表している。
【００８０】
また、S1フィールドにおいて、"010"であるビットが設定された場合、"Non_T2"、すなわち、プリアンブル信号が、T2のプリアンブル信号ではないことを表している。ここで、S1フィールドにおいて、"010"であるビットが設定された場合、S2フィールドには、"000"，"001"，"011"，"100"であるビットが設定された場合のFFTサイズ等とは異なる情報が表される。
【００８１】
すなわち、図１１に示すように、S2フィールド1において、"000"であるビットが設定された場合、"Undefined FEF part"、すなわち、未定義のFEF（Future Extension Frame）であって、T2フレームとは異なる構造からなるFEFのプリアンブル信号であることを表している。
【００８２】
また、S2フィールド1において、"001"〜"111"であるビットは、いずれも"Reserved for future use"、すなわち、将来の拡張用のリザーブビット（Reserved bit）であることを表している。このリザーブビットのうち、いずれかの特定のビット列（特殊ビット列）を、緊急警報情報が伝送されていることを示す緊急警報通知情報に割り当てるようにする。
【００８３】
図１０に戻り、S1フィールドにおいて、"011"であるビットが設定された場合、"T2_LITE_SISO"、すなわち、プリアンブル信号がT2_LITEのプリアンブル信号であって、P2の送信方式がSISOとなることを表している。また、"100"であるビットが設定された場合、"T2_LITE_MISO"、すなわち、プリアンブル信号がT2_LITEのプリアンブル信号であって、P2の送信方式がMISOであることを表している。
【００８４】
なお、S1フィールドにおいて、"101"，"110"，"111"であるビットは、いずれも"Reserved for future use"、すなわち、将来の拡張用のリザーブビット（Reserved bit）であることを表している。
【００８５】
以上のように、P1シグナリング伝送方式では、P1シグナリングのS2フィールドのリザーブビットに、緊急警報情報が伝送されていることを示す特定のビット列（緊急警報通知情報）が配置されるようにすることで、受信機では、S2フィールドに設定されるビット列を監視して、特定のビット列（例えば、"001"や"111"など）が検出されたときに、送信機から伝送される緊急警報情報を取得して出力することができる。
【００８６】
（２）S1フィールドのリザーブビットに特定のビット列を規定
【００８７】
図１２は、S1フィールドの詳細な構成を示す図である。図１２において、S1フィールドに設定される情報は、図１０のS1フィールドに設定される情報と同様である。ただし、図１２のS1フィールドにおいては、"101"，"110"，"111"であるリザーブビット（Reserved bit）のうち、いずれかの特定のビット列（特殊ビット列）を、緊急警報情報が伝送されていることを示す緊急警報通知情報に割り当てるようにする。
【００８８】
この場合においては、S1フィールドのリザーブビットに、緊急警報情報が伝送されていることを示す特定のビット列（緊急警報通知情報）を割り当てているため、図１３に示すように、S2フィールドのリザーブビットには、緊急警報情報が伝送されていることを示す特定のビット列は割り当てられないことになる。
【００８９】
なお、図１４に示すように、S1フィールドのリザーブビットは、DVB-NGH（Digital Video Broadcasting - Next Generation Handheld）規格で、新たなパラメータが割り当てられることが予定されている。図１４のS1フィールドにおいて、"101"であるビットには"NGH_SISO"、"110"であるビットには"NGH_MISO"、"111"であるビットには"ESC"がそれぞれ割り当てられている。
【００９０】
以上のように、P1シグナリング伝送方式では、P1シグナリングのS1フィールドのリザーブビットに、緊急警報情報が伝送されていることを示す特定のビット列（緊急警報通知情報）が配置されるようにすることで、受信機では、S1フィールドに設定されるビット列を監視して、特定のビット列（例えば、"101"や"111"など）が検出されたときに、緊急警報情報を取得して出力することができる。
【００９１】
（DVB-EWS現行方式と、P1シグナリング伝送方式との比較）
次に、図１５を参照して、DVB-EWS現行方式と、P1シグナリング伝送方式における消費電力と、処理速度を比較する。
【００９２】
受信機での消費電力であるが、P1シグナリング伝送方式（図９乃至図１３）を採用した場合、T2フレームを構成するP1のシンボルが復調され、P1のシンボルに含まれるP1シグナリングのリザーブビットに設定されたビット列が、監視（解析）されるようにすることができる。すなわち、この場合、システムオンチップ（SoC）の前段の復調部で、ビット列が監視されるので、上述したL1プレシグナリング伝送方式と同様に、チューナと復調部を動作させるための電力を消費するだけですみ、消費電力の高いシステムオンチップを動作させなくてもよいことになる。
【００９３】
すなわち、DVB-EWS現行方式（図１）では、アナウスメントフラグ（SI情報）を監視するために、消費電力の高いシステムオンチップを動作させる必要があるが、P1シグナリング伝送方式では、S1フィールド又はS2フィールドに設定されるビット列を監視するために、システムオンチップを動作させる必要がなく、消費電力を抑えることができる。
【００９４】
これにより、図１５に示すように、受信機は、T2フレームを構成するP1のシンボルの受信時のみ、復調部によりP1シグナリングのリザーブビットに設定されたビット列を監視（解析）し、それ以外のP2とデータのシンボルの受信時には、スリープ状態となるモード（低消費電力モード）で動作することが可能となる。そして、受信機は、P1のシンボルに含まれるP1シグナリングのリザーブビットに設定されたビット列として、特定のビット列（例えば、"101"や"111"など）が検出されたときに、システムオンチップを動作させて、送信機から伝送される緊急警報情報を取得して、出力されるようにする。
【００９５】
また、P1シグナリング伝送方式（図９乃至図１３）を採用した場合、受信機では、システムオンチップを起動せずに、復調部でビット列の監視（解析）が行われるため、システムオンチップでの解析処理が不要となり、システムオンチップの前段で特定のビット列の監視結果が得られる。そのため、P1シグナリング伝送方式を採用した場合には、DVB-EWS現行方式（図１）を採用した場合と比べて、高速に、緊急警報情報に関する処理を行うことができる。なお、P1シグナリング伝送方式において、P1のシンボルを復調するためには、P2のシンボルは関係ないので、P1とP2のシンボルの両方を復調する必要があったL1プレシグナリング伝送方式と比べて、消費電力を抑えられ、さらに処理速度が向上することになる。
【００９６】
なお、P1シグナリング伝送方式において、受信機は、P1シグナリングのリザーブビットに特定のビット列が設定されている場合に、緊急警報情報が伝送されていると認識して、システムオンチップを動作させて緊急警報情報を取得することから、この特定のビット列（緊急警報通知情報）は、いわばブートトリガ情報であると言える。
【００９７】
（緊急警報情報の伝送）
ところで、受信機においては、復調部によって、P1シグナリングのリザーブビットに配置されるビット列が監視され、特定のビット列が検出されたときに、システムオンチップが起動されて、送信機から送信されてくる緊急警報情報が取得され、出力されることになる。この緊急警報情報は、L1プレシグナリング伝送方式と同様に、例えば、（Ａ）SI情報を利用する方式、（Ｂ）補助ストリームを利用する方式、又は、（Ｃ）特定のPLPを利用する方式のいずれかの方式により伝送されるようにすることができる。
【００９８】
ただし、図１６に示すように、通常の番組の映像と音声のストリームが伝送されるときには、T2フレームのP1とデータが繰り返し伝送されるが、（Ｃ）特定のPLPを利用する方式の場合において、緊急警報通知情報が配置されたP1（P1シグナリング）が伝送されるときには、その後ろにデータを配置することができるため、伝送フレームにおけるデータ設計の自由度を向上させることができる。
【００９９】
＜４．システムの構成＞
【０１００】
（緊急警報情報伝送システムの構成例）
図１７は、本技術を適用した緊急警報情報伝送システムの構成例を示す図である。なお、システムとは、複数の構成要素（装置等）の集合を意味する。
【０１０１】
緊急警報情報伝送システム１は、情報提供装置１０、送信装置２０、及び、受信装置３０から構成される。
【０１０２】
情報提供装置１０は、例えば気象庁やその他の政府機関で運営され、地震や地震に伴う津波、台風や豪雨、暴風、竜巻、洪水、山火事といった自然災害など、様々な緊急事態が発生したことを警報する緊急警報情報を生成し、送信装置２０に提供する。なお、情報提供装置１０と送信装置２０は、インターネットや専用回線など、任意の通信路を介して接続されている。
【０１０３】
送信装置２０は、上述した送信機に対応するものであって、例えば地上デジタル放送サービスを提供する放送局により運営される。送信装置２０は、番組等のコンテンツを、デジタル放送信号により送信する。また、送信装置２０は、情報提供装置１０から緊急警報情報が提供された場合、緊急警報情報と緊急警報通知情報を、デジタル放送信号に含めて送信する。
【０１０４】
受信装置３０は、上述した受信機に対応するものであって、例えばテレビ受像機やセットトップボックス等から構成され、各家庭等に設置される。受信装置３０は、送信装置２０から送信されてくるデジタル放送信号を受信し、番組等のコンテンツの映像や音声を出力する。
【０１０５】
また、受信装置３０は、デジタル放送信号に含まれる緊急警報通知情報が、緊急警報情報が伝送されていることを示している場合、デジタル放送信号に含まれる緊急警報情報を取得して、例えば、警報音を出力したり、警報メッセージを画面に表示したりする。これにより、ユーザに対して、即時に、緊急警報を通知することができる。
【０１０６】
なお、図１７の緊急警報情報伝送システム１においては、送信装置２０は、政府機関で運営される情報提供装置１０から緊急警報情報の提供を受けるとして構成されているが、送信装置２０は、情報提供装置１０以外の情報源から、緊急警報情報を取得するようにしてもよい。また、情報提供装置１０は、必ずしも政府機関で運営される必要はなく、私的な団体や放送局自体で運営されるようにしてもよい。
【０１０７】
また、図１７の緊急警報情報伝送システム１では、１台の送信装置２０のみを図示しているが、実際には、放送局ごとに送信装置２０が複数台設置される。また、図１７において、１台の受信装置３０のみを図示しているが、実際には、複数台の受信装置３０が設置されている。
【０１０８】
(送信装置の構成例）
図１８は、図１７の送信装置２０の構成例を示す図である。
【０１０９】
図１８において、送信装置２０は、緊急警報情報取得部２１１、緊急警報情報処理部２１２、コンテンツ取得部２１３、コンテンツ処理部２１４、シグナリング生成部２１５、シグナリング処理部２１６、伝送フレーム生成部２１７、及び、放送信号送信部２１８から構成される。
【０１１０】
緊急警報情報取得部２１１は、任意の通信路を介して情報提供装置１０から緊急警報情報が提供された場合、緊急警報情報を取得し、緊急警報情報処理部２１２に供給する。緊急警報情報処理部２１２は、緊急警報情報取得部２１１から供給される緊急警報情報を処理し、伝送フレーム生成部２１７に供給する。
【０１１１】
なお、緊急警報情報処理部２１２では、緊急警報情報に対して、例えば、不要な情報（例えば放送エリアに関連しない情報）の除去などのフィルタリング処理や、ファイル形式の変換処理などの処理が行われる。
【０１１２】
コンテンツ取得部２１３は、番組等のコンテンツを取得し、コンテンツ処理部２１４に供給する。コンテンツ処理部２１４は、コンテンツ取得部２１３から供給されるコンテンツを処理し、伝送フレーム生成部２１７に供給する。
【０１１３】
なお、コンテンツとしては、例えば、既に収録されたコンテンツの保管場所から、放送時間帯に応じて該当するコンテンツが取得されたり、あるいはスタジオやロケーション場所からライブのコンテンツが取得されたりする。また、コンテンツ処理部２１４では、コンテンツに対して、例えば、エンコードやフォーマット形式の変換処理など行われる。
【０１１４】
シグナリング生成部２１５は、シグナリングを生成し、シグナリング処理部２１６に供給する。シグナリング処理部２１６は、シグナリング生成部２１５からのシグナリングを処理し、伝送フレーム生成部２１７に供給する。
【０１１５】
ここで、シグナリングとしては、例えば、DVB-T2規格に準拠したP1シグナリング（P1 Signalling）、L1プレシグナリング（L1 pre-signalling）、及び、L1ポストシグナリング（L1 post-signalling）が生成される。また、シグナリング処理部２１６は、任意の通信路を介して情報提供装置１０から緊急警報情報が提供された場合、P1シグナリング又はL1プレシグナリングに、緊急警報情報が伝送されていることを示す緊急警報通知情報を含める。
【０１１６】
具体的には、上述したL1プレシグナリング伝送方式（図２，３）を採用した場合、L1プレシグナリングのリザーブビットに、緊急警報情報が伝送されていることを示す１ビットの緊急警報フラグが割り当てられているので、この緊急警報フラグが、"1"となるようにする。また、上述したP1シグナリング伝送方式（図９乃至図１３）を採用した場合、P1シグナリングのS1フィールド又はS2フィールドのリザーブビットに、緊急警報情報が伝送されていることを示す特定のビット列が割り当てられているので、この特定のビット列が設定されるようにする。
【０１１７】
伝送フレーム生成部２１７は、情報提供装置１０から緊急警報情報が提供されていない場合、コンテンツ処理部２１４からのコンテンツのデータと、シグナリング処理部２１６からのシグナリングデータに基づいて、DVB-T2規格に準拠したT2フレーム等の伝送フレームを生成し、放送信号送信部２１８に供給する。
【０１１８】
また、伝送フレーム生成部２１７は、情報提供装置１０から緊急警報情報が提供された場合、緊急警報情報処理部２１２から緊急警報情報と、コンテンツ処理部２１４からのコンテンツのデータと、シグナリング処理部２１６からのシグナリングデータに基づいて、DVB-T2規格に準拠したT2フレーム等の伝送フレームを生成し、放送信号送信部２１８に供給する。
【０１１９】
ただし、この場合、P1シグナリング又はL1プレシグナリングには、緊急警報情報が伝送されていることを示す緊急警報通知情報が含められている。また、上述したように、緊急警報情報は、例えば、（Ａ）SI情報を利用する方式、（Ｂ）補助ストリームを利用する方式、又は、（Ｃ）特定のPLPを利用する方式のいずれかの方式により伝送されるようにすることができる。
【０１２０】
放送信号送信部２１８は、伝送フレーム生成部２１７からの伝送フレームに対して、例えば、符号化、OFDM（Orthogonal Frequency Division Multiplexing）等のデジタル変調、RF（Radio Frequency）帯へのアップコンバージョン（当該放送局に割り当てられた周波数チャンネル）、又は電力増幅などの処理を行い、アンテナ２１９を介して、デジタル放送信号として送信する。
【０１２１】
なお、図１８の送信装置２０において、すべての機能ブロックが、物理的に単一の装置内に配置される必要はなく、少なくとも一部の機能ブロックが、他の機能ブロックとは物理的に独立した装置として構成されるようにしてもよい。例えば、緊急警報情報処理部２１２は、インターネット上のサーバが備えるようにしてもよい。
【０１２２】
(受信装置の構成例）
図１９は、図１７の受信装置３０の構成例を示す図である。
【０１２３】
図１９において、受信装置３０は、チューナ３１２、復調部３１３、制御部３１４、表示部３１５、及び、スピーカ３１６から構成される。
【０１２４】
チューナ３１２は、アンテナ３１１で受信されたデジタル放送信号から所定の周波数チャンネルの成分について同調を行う。復調部３１３は、チューナ３１２により同調されたデジタル放送信号の復調処理を行う。この復調処理では、デジタル放送信号として受信されるDVB-T2規格に準拠したT2フレーム等の伝送フレームに対する復調処理が行われる。
【０１２５】
制御部３１４は、復調部３１３からの信号に対して、デコード等の復号処理などを施し、その結果得られる、番組等のコンテンツの映像を表示部３１５に表示させるとともに、音声をスピーカ３１６から出力させる。なお、制御部３１４は、システムオンチップ（SoC）として構成されている。
【０１２６】
ここで、復調部３１３においては、P1シグナリング又はL1プレシグナリングのリザーブビットに含まれる緊急警報通知情報が監視され、当該緊急警報通知情報が、緊急警報情報が伝送されていることを示しているかどうかが判定される。
【０１２７】
具体的には、上述したL1プレシグナリング伝送方式（図２，３）を採用した場合、L1プレシグナリングのリザーブビットに、緊急警報情報が伝送されていることを示す１ビットの緊急警報フラグが割り当てられているので、この緊急警報フラグが"1"となるかどうかが監視される。また、上述したP1シグナリング伝送方式（図９乃至図１３）を採用した場合、P1シグナリングのS1フィールド又はS2フィールドのリザーブビットに、緊急警報情報が伝送されていることを示す特定のビット列が割り当てられているので、この特定のビット列が設定されているかどうかが監視される。
【０１２８】
制御部３１４は、復調部３１３による緊急警報通知情報の監視結果に基づいて、緊急警報通知情報が、緊急警報情報が伝送されていることを示している場合、緊急警報情報を取得し、例えば、スピーカ３１６から警報音を出力したり、表示部３１５に警報メッセージを表示したりする。これにより、ユーザに対して、即時に、緊急警報を通知することができる。
【０１２９】
なお、受信装置３０においては、復調部３１３により緊急警報通知情報の監視が行われるため、システムオンチップとしての制御部３１４を起動する必要はない。そして、復調部３１３による緊急警報通知情報の監視結果として、緊急警報通知情報が、緊急警報情報が伝送されていることを示している場合には、システムオンチップとしての制御部３１４が起動され、緊急警報情報を取得することになる。
【０１３０】
そのため、L1プレシグナリング伝送方式（図２，３）又はP1シグナリング伝送方式（図９乃至図１３）を採用した場合、図４、図５、及び、図１５を参照して説明したように、DVB-EWS現行方式（図１）と比べて、より高速に、かつ、低消費電力で緊急警告情報に関する処理を行うことができる。
【０１３１】
また、緊急警報情報は、例えば、（Ａ）SI情報を利用する方式、（Ｂ）補助ストリームを利用する方式、又は、（Ｃ）特定のPLPを利用する方式のいずれかの方式により伝送されてくるので、受信機は、いずれかの方式で伝送される緊急警報情報を取得することになる。
【０１３２】
なお、図１９の受信装置３０においては、表示部３１５及びスピーカ３１６が内蔵されている構成を説明したが、表示部３１５及びスピーカ３１６は、外部に設けられるようにしてもよい。
【０１３３】
＜５．各装置の処理の流れ＞
【０１３４】
次に、図２０乃至図２１のフローチャートを参照して、図１７の緊急警報情報伝送システム１を構成する各装置で実行される処理の流れについて説明する。
【０１３５】
（緊急警報情報送信処理）
まず、図２０のフローチャートを参照して、図１７の送信装置２０により実行される緊急警報情報送信処理の流れを説明する。
【０１３６】
ステップＳ２１１においては、任意の通信路を介して情報提供装置１０から緊急警報情報が提供されたかどうかが判定される。ステップＳ２１１において、情報提供装置１０から緊急警報情報が提供されたと判定された場合、処理は、ステップＳ２１２に進められる。
【０１３７】
ステップＳ２１２において、緊急警報情報取得部２１１は、情報提供装置１０から提供される緊急警報情報を取得し、緊急警報情報処理部２１２に供給する。ステップＳ２１３において、緊急警報情報処理部２１２は、緊急警報情報取得部２１１から供給される緊急警報情報を処理し、伝送フレーム生成部２１７に供給する。
【０１３８】
ステップＳ２１３の処理が終了すると、処理は、ステップＳ２１４に進められる。なお、ステップＳ２１１において、情報提供装置１０から緊急警報情報が提供されていないと判定された場合、ステップＳ２１２，Ｓ２１３の処理はスキップされ、処理は、ステップＳ２１４に進められる。
【０１３９】
ステップＳ２１４において、コンテンツ取得部２１３は、番組等のコンテンツを取得し、コンテンツ処理部２１４に供給する。ステップＳ２１５において、コンテンツ処理部２１４は、コンテンツ取得部２１３から供給されるコンテンツを処理し、伝送フレーム生成部２１７に供給する。
【０１４０】
ステップＳ２１６において、シグナリング生成部２１５は、シグナリングを生成し、シグナリング処理部２１６に供給する。ステップＳ２１７において、シグナリング処理部２１６は、シグナリング生成部２１５からのシグナリングを処理し、伝送フレーム生成部２１７に供給する。
【０１４１】
ここで、ステップＳ２１１において、情報提供装置１０から緊急警報情報が提供されたと判定され、緊急警報情報が取得されて処理された場合（ステップＳ２１２，Ｓ２１３）には、P1シグナリング又はL1プレシグナリングに、緊急警報情報が伝送されていることを示す緊急警報通知情報が含められる。
【０１４２】
具体的には、上述したL1プレシグナリング伝送方式（図２，３）を採用した場合、L1プレシグナリングのリザーブビットに割り当てられた緊急警報フラグが、"1"となるようにする。また、上述したP1シグナリング伝送方式（図９乃至図１３）を採用した場合、P1シグナリングのS1フィールド又はS2フィールドのリザーブビットに割り当てられた特定のビット列が設定されるようにする。
【０１４３】
ステップＳ２１８において、伝送フレーム生成部２１７は、情報提供装置１０から緊急警報情報が提供された場合（ステップＳ２１１の「YES」）、緊急警報情報処理部２１２から緊急警報情報と、コンテンツ処理部２１４からのコンテンツのデータと、シグナリング処理部２１６からのシグナリングデータに基づいて、DVB-T2規格に準拠したT2フレーム等の伝送フレームを生成し、放送信号送信部２１８に供給する。ただし、この場合、P1シグナリング又はL1プレシグナリングには、緊急警報情報が伝送されていることを示す緊急警報通知情報が含められている。
【０１４４】
なお、伝送フレーム生成部２１７は、情報提供装置１０から緊急警報情報が提供されていない場合（ステップＳ２１１の「NO」）、コンテンツ処理部２１４からのコンテンツのデータと、シグナリング処理部２１６からのシグナリングデータに基づいて、DVB-T2規格に準拠したT2フレーム等の伝送フレームを生成し、放送信号送信部２１８に供給することになる。
【０１４５】
ステップＳ２１９において、放送信号送信部２１８は、伝送フレーム生成部２１７からの伝送フレームに対して、所定の処理を行い、アンテナ２１９を介して、デジタル放送信号として送信する。ステップＳ２１９の処理が終了すると、図２０の緊急警報情報送信処理は終了される。
【０１４６】
以上、緊急警報情報送信処理について説明した。この緊急警報情報送信処理においては、情報提供装置１０から緊急警報情報が提供された場合に、緊急警報情報とともに、当該緊急警報情報が伝送されていることを示す緊急警報通知情報が、P1シグナリング又はL1プレシグナリングに含めて、デジタル放送信号によって送信されることになる。
【０１４７】
（緊急警報情報受信処理）
次に、図２１のフローチャートを参照して、図１７の受信装置３０により実行される緊急警報情報受信処理の流れを説明する。ただし、この緊急警報情報受信処理の開始時点で、受信装置３０は、スリープ状態にあるものとする。
【０１４８】
ステップＳ３１１において、チューナ３１２は、アンテナ３１１で受信されたデジタル放送信号から所定の周波数チャンネルの成分について同調を行う。すなわち、受信装置３０は、送信装置２０からのデジタル放送信号を受信している。
【０１４９】
ステップＳ３１２において、復調部３１３は、チューナ３１２により同調されたデジタル放送信号の復調処理を行う。ステップＳ３１３において、復調部３１３は、ステップＳ３１２の復調処理の結果に基づいて、P1シグナリング又はL1プレシグナリングのリザーブビットに含まれる緊急警報通知情報が、緊急警報情報が伝送されていることを示しているかどうかを判定する。
【０１５０】
具体的には、上述したL1プレシグナリング伝送方式（図２，３）を採用した場合、L1プレシグナリングのリザーブビットに割り当てられた緊急警報フラグが監視され、当該緊急警報フラグが"1"となる場合に、緊急警報通知情報が、緊急警報情報が伝送されていることを示していると判定される。また、上述したP1シグナリング伝送方式（図９乃至図１３）を採用した場合、P1シグナリングのS1フィールド又はS2フィールドのリザーブビットに設定されているビット列が監視され、特定のビット列が設定されている場合に、緊急警報通知情報が、緊急警報情報が伝送されていることを示していると判定される。
【０１５１】
ステップＳ３１３において、緊急警報通知情報が、緊急警報情報が伝送されていることを示していると判定された場合、処理は、ステップＳ３１４に進められる。ステップＳ３１４においては、システムオンチップとしての制御部３１４が起動され、制御部３１４は、緊急警報情報を取得して出力する。例えば、制御部３１４は、緊急警報情報に基づいて、スピーカ３１６から警報音を出力したり、表示部３１５に警報メッセージを表示したりする。これにより、ユーザに対して、即時に、緊急警報を通知することができる。
【０１５２】
なお、ステップＳ３１３において、緊急警報通知情報が、緊急警報情報が伝送されていることを示していないと判定された場合、ステップＳ３１４の処理は、スキップされる。ステップＳ３１４の処理が、終了するか、スキップされると、図２１の緊急警報情報受信処理は終了される。
【０１５３】
以上、緊急警報情報受信処理について説明した。この緊急警報情報受信処理においては、送信装置２０から緊急警報情報が伝送される場合に、P1シグナリング又はL1プレシグナリングのリザーブビットに含まれる緊急警報通知情報が、緊急警報情報が伝送されていることを示すので、当該緊急警報通知情報の監視結果に応じて、緊急警報情報が取得され、出力されることになる。
【０１５４】
＜６．コンピュータの構成＞
【０１５５】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図２２は、上述した一連の処理をプログラムにより実行するコンピュータのハードウェアの構成例を示す図である。
【０１５６】
コンピュータ９００において、CPU（Central Processing Unit）９０１，ROM（Read Only Memory）９０２，RAM（Random Access Memory）９０３は、バス９０４により相互に接続されている。バス９０４には、さらに、入出力インターフェース９０５が接続されている。入出力インターフェース９０５には、入力部９０６、出力部９０７、記録部９０８、通信部９０９、及び、ドライブ９１０が接続されている。
【０１５７】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０１５８】
以上のように構成されるコンピュータ９００では、CPU９０１が、ROM９０２や記録部９０８に記憶されているプログラムを、入出力インターフェース９０５及びバス９０４を介して、RAM９０３にロードして実行することにより、上述した一連の処理が行われる。
【０１５９】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０１６０】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０１６１】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０１６２】
なお、本技術の実施の形態は、上述した実施の形態に限定されるものではなく、本技術の要旨を逸脱しない範囲において種々の変更が可能である。
【０１６３】
また、本技術は、以下のような構成をとることができる。
【０１６４】
（１）
緊急警報情報を取得する緊急警報情報取得部と、
コンテンツを取得するコンテンツ取得部と、
P1シグナリングを含む第１のプリアンブル信号と、L1プレシグナリングを含む第２のプリアンブル信号と、前記コンテンツのデータとからなる、DVB-T2（Digital Video Broadcasting - Terrestrial 2）規格に準拠した伝送フレームとして、前記P1シグナリング又は前記L1プレシグナリングに、前記緊急警報情報が伝送されていることを示す緊急警報通知情報を含む前記伝送フレームを生成する伝送フレーム生成部と、
前記伝送フレームを、デジタル放送信号として送信する送信部と
を備える送信装置。
（２）
前記緊急警報通知情報は、前記L1プレシグナリングに含まれている場合、前記L1プレシグナリングのリザーブビットに配置される
（１）に記載の送信装置。
（３）
前記緊急警報通知情報は、１ビットの緊急警報フラグであって、
前記緊急警報情報は、前記DVB-T2規格で規定されている、SI（Service Information）情報、補助ストリーム（Auxiliary Stream）、又は特定のPLP（Physical Layer Pipe）で伝送される
（２）に記載の送信装置。
（４）
前記緊急警報通知情報は、前記P1シグナリングに含まれている場合、前記P1シグナリングのリザーブビットに配置される
（１）に記載の送信装置。
（５）
前記緊急警報通知情報は、特定のビット列であって、
前記緊急警報情報は、前記DVB-T2規格で規定されている、SI情報、補助ストリーム、又は特定のPLPで伝送される
（４）に記載の送信装置。
（６）
前記P1シグナリング及び前記L1プレシグナリングを生成するシグナリング生成部をさらに備える
（１）乃至（５）のいずれかに記載の送信装置。
（７）
送信装置の送信方法において、
前記送信装置が、
緊急警報情報を取得し、
コンテンツを取得し、
P1シグナリングを含む第１のプリアンブル信号と、L1プレシグナリングを含む第２のプリアンブル信号と、前記コンテンツのデータとからなる、DVB-T2規格に準拠した伝送フレームとして、前記P1シグナリング又は前記L1プレシグナリングに、前記緊急警報情報が伝送されていることを示す緊急警報通知情報を含む前記伝送フレームを生成し、
前記伝送フレームを、デジタル放送信号として送信する
ステップを含む送信方法。
（８）
デジタル放送信号として、P1シグナリングを含む第１のプリアンブル信号と、L1プレシグナリングを含む第２のプリアンブル信号と、コンテンツのデータとからなる、DVB-T2規格に準拠した伝送フレームを受信する受信部と、
前記第１のプリアンブル信号、又は前記第１のプリアンブル信号及び前記第２のプリアンブル信号を復調して、前記第１のプリアンブル信号に含まれるP1シグナリング、又は前記第２のプリアンブル信号に含まれるL1プレシグナリングにおいて、緊急警報情報が伝送されていることを示す緊急警報通知情報を監視する復調部と
を備える受信装置。
（９）
前記緊急警報通知情報は、前記L1プレシグナリングに含まれている場合、前記L1プレシグナリングのリザーブビットに配置される
（８）に記載の受信装置。
（１０）
前記緊急警報通知情報は、１ビットの緊急警報フラグであって、
前記緊急警報情報は、前記DVB-T2規格で規定されている、SI情報、補助ストリーム、又は特定のPLPで伝送されており、
前記緊急警報通知情報が、前記緊急警報情報が伝送されていることを示している場合に起動して、前記SI情報、前記補助ストリーム、又は前記特定のPLPで伝送されている前記緊急警報情報を取得する制御部をさらに備える
（９）に記載の受信装置。
（１１）
前記緊急警報通知情報は、前記P1シグナリングに含まれている場合、前記P1シグナリングのリザーブビットに配置される
（８）に記載の受信装置。
（１２）
前記緊急警報通知情報は、特定のビット列であって、
前記緊急警報情報は、前記DVB-T2規格で規定されている、SI情報、補助ストリーム、又は特定のPLPで伝送されており、
前記緊急警報通知情報が、前記緊急警報情報が伝送されていることを示している場合に起動して、前記SI情報、前記補助ストリーム、又は前記特定のPLPで伝送されている前記緊急警報情報を取得する制御部をさらに備える
（１１）に記載の受信装置。
（１３）
受信装置の受信方法において、
前記受信装置が、
デジタル放送信号として、P1シグナリングを含む第１のプリアンブル信号と、L1プレシグナリングを含む第２のプリアンブル信号と、コンテンツのデータとからなる、DVB-T2規格に準拠した伝送フレームを受信し、
前記第１のプリアンブル信号、又は前記第１のプリアンブル信号及び前記第２のプリアンブル信号を復調して、前記第１のプリアンブル信号に含まれるP1シグナリング、又は前記第２のプリアンブル信号に含まれるL1プレシグナリングにおいて、緊急警報情報が伝送されていることを示す緊急警報通知情報を監視する
ステップを含む受信方法。
【符号の説明】
【０１６５】
１  緊急警報情報伝送システム，  １０  情報提供装置，  ２０  送信装置，  ３０  受信装置，  ２１１  緊急警報情報取得部，  ２１２  緊急警報情報処理部，  ２１３  コンテンツ取得部，  ２１４  コンテンツ処理部，  ２１５  シグナリング生成部，  ２１６  シグナリング処理部，  ２１７  伝送フレーム生成部，  ２１８  放送信号送信部，  ３１２  チューナ，  ３１３  復調部，  ３１４  制御部，  ３１５  表示部，  ３１６  スピーカ，  ９００  コンピュータ，  ９０１  CPU
【図１】
0006504412.tif 000002
【図２】
0006504412.tif 000003
【図３】
0006504412.tif 000004
【図４】
0006504412.tif 000005
【図５】
0006504412.tif 000006
【図６】
0006504412.tif 000007
【図７】
0006504412.tif 000008
【図８】
0006504412.tif 000009
【図９】
0006504412.tif 000010
【図１０】
0006504412.tif 000011
【図１１】
0006504412.tif 000012
【図１２】
0006504412.tif 000013
【図１３】
0006504412.tif 000014
【図１４】
0006504412.tif 000015
【図１５】
0006504412.tif 000016
【図１６】
0006504412.tif 000017
【図１７】
0006504412.tif 000018
【図１８】
0006504412.tif 000019
【図１９】
0006504412.tif 000020
【図２０】
0006504412.tif 000021
【図２１】
0006504412.tif 000022
【図２２】
0006504412.tif 000023